(57)【特許請求の範囲】
【請求項１】
上下方向に昇降自在に設けられて、それぞれ対面して配置された一方のシャッターカーテンおよび他方のシャッターカーテンであって、幅方向に長手に形成された複数のスラットがスラット本体部の上下に形成された連結部を介して上下方向にスライド自在に連結され、最下端部のスラットの下部には連結部を介して座板が上下方向にスライド自在に連結されている一方のシャッターカーテンおよび他方のシャッターカーテンと、
該一方のシャッターカーテンおよび他方のシャッターカーテンをなすスラットの本体部に設けられ、前記各シャッターカーテン間で連通開口し得るように穿設された通風孔と、  前記一方のシャッターカーテンおよび他方のシャッターカーテンをなすスラットの本体部に設けられ、前記通風孔の上下方向で介在された閉塞部と、
を備え、前記一方のシャッターカーテン及び他方のシャッターカーテンを全閉鎖状態とした時に、そのいずれかの前記座板と最下端部のスラットとの前記連結部を１スラットピッチ分上下方向にスライド自在に構成し、前記閉塞部をもって前記通風孔を閉塞自在としたことを特徴とする建物用開閉体の構造。
【請求項２】
前記座板と最下端部のスラットとの前記連結部を１スラットピッチ分上下方向にスライド自在に構成し、前記閉塞部をもって前記通風孔を閉塞自在とした前記一方又は他方のシャッターカーテン（２Ａ，２Ｂ）を、シャッターカーテンによって閉鎖される建物の内側のシャッターカーテン（２Ｂ）とした請求項１に記載の開閉体の構造。
【請求項３】
前記一方のシャッターカーテンあるいは他方のシャッターカーテンにおける対向面側には、対向するシャッターカーテンと当接して各シャッターカーテンの間隙を遮蔽する遮蔽部材を備えた請求項１又は２に記載の開閉体の構造。
【請求項４】
前記遮蔽部材は、軟質樹脂片によって形成し、前記一方又は他方のシャッターカーテンにおける対向面側に配設し、対向する他方又は一方のシャッターカーテンの対向面に先端部が当接して各シャッターカーテンの間隙を遮蔽する請求項３に記載の開閉体の構造。
【発明の詳細な説明】
【０００１】
【発明の属する技術分野】
本発明は、建物用シャッター、ロールスクリーン等における開閉体に関し、適宜に通風・採光を行うことができる開閉体の構造に関するものである。
【０００２】
【従来の技術】
従来、建物用シャッター等における開閉体の構造として、通風・採光を行うものが知られている。
この種の開閉体の構造は、図８（ａ）、図８（ｂ）に示すように、上下に連結されてシャッターカーテン２０をなす各スラット２１の連結部２２が上下方向にスライド自在に構成されている。そして、この連結部２２において、スラット２１の上部に通風孔２３が穿設され、スラット２１の下部には遮蔽片２４が設けられている。
また、シャッターカーテンは、一般に開閉機（不図示）によって昇降されることにより開閉を行う。
【０００３】
そして、図８（ａ）に示すように、シャッターカーテン２０を全閉鎖した際に通風孔２３が開口された状態となり通風・採光が行われる。
また、図８（ｂ）に示すように、シャッターカーテン２０を所定送り下げることにより、各スラット２１の連結部２２が下方にスライドし、通風孔２３が遮蔽片２４によって閉塞された状態となって通風・採光が止められる。
【０００４】
【発明が解決しようとする課題】
しかしながら、上述した従来の開閉体の構造では、各スラット２１の連結部２２に通風・採光を行う通風孔２３を設けているので、さらなる通風・採光を期待することができない。
具体的には、さらに通風・採光を行うために通風孔２３を拡張すればよいが、上記構成で通風孔２３を拡張しようとすると、各スラット２１の上下幅（特に連結部２２）を大きくしなければならない。これによると各スラット２１のスラットピッチが大きくなって、シャッターカーテン２０が巻回収納されるシャッターケース内においてシャッターカーテン２０の巻き径が大きくなるという不都合が生じてしまう。
【０００５】
さらに、上述のように通風孔２３を拡張した場合には、遮蔽片２４を拡大し連結部２２のスライド幅を大きくしなければならないので、構成上連結部２２の耐久性が低下し故障の要因となってしまう。
【０００６】
また、一般に建物用シャッターは、シャッターカーテンの昇降を助生するとともに、シャッターカーテンの全閉鎖時における重量バランスを補正するために、シャッターカーテンがバネ等によって上方に付勢されている。
ところが、従来の開閉体の構造では、通常時シャッターカーテン２０を全閉鎖した際に通風孔２３が開口され、さらにシャッターカーテン２０を所定送り下げることによって通風孔２３が閉塞される構成のため、通風孔２３の閉塞時に、重量バランスがとれている全閉鎖状態のシャッターカーテン２０をさらに上記バネ等の付勢力に抗して下げるので、開閉機に負荷が係ってしまう。
また、開閉機に係る負荷を解消するためには、開閉機の容量を大きくしなけらばならず、コストが嵩んでしまう。
【０００７】
そこで本発明は、上記課題を解消するために、十分に通風・採光を行い、さらに故障の要因を減少させ、シャッターカーテンの昇降を開閉機によって行う場合、開閉機の容量を必要最低限とすることができる開閉体の構造を提供することを目的としている。
【０００８】
【課題を解決するための手段】
上記目的を達成するため本発明による建物用開閉体の構造は、上下方向に昇降自在に設けられて、それぞれ対面して配置された一方のシャッターカーテン２Ａおよび他方のシャッターカーテン２Ｂであって、幅方向に長手に形成された複数のスラット４がスラット本体部４ｂの上下に形成された連結部４ａを介して上下方向にスライド自在に連結され、最下端部のスラットの下部には連結部４ａを介して座板６が上下方向にスライド自在に連結されている一方のシャッターカーテン２Ａおよび他方のシャッターカーテン２Ｂと、該一方のシャッターカーテン２Ａおよび他方のシャッターカーテン２Ｂをなすスラット４の本体部４ｂに設けられ、前記各シャッターカーテン間で連通開口し得るように穿設された通風孔７と、前記一方のシャッターカーテン２Ａおよび他方のシャッターカーテン２Ｂをなすスラットの本体部４ｂに設けられ、前記通風孔７の上下方向で介在された閉塞部８と、を備えている。
そして、前記一方のシャッターカーテン２Ａ及び他方のシャッターカーテン２Ｂを全閉鎖状態とした時に、そのいずれかの前記座板６と最下端部のスラット４との前記連結部４ａを１スラットピッチ分上下方向にスライド自在に構成し、前記閉塞部８をもって前記通風孔７を閉塞自在としたことを特徴としている。
【０００９】
また、前記座板６と最下端部のスラット４との前記連結部４ａを１スラットピッチ分上下方向にスライド自在に構成し、前記閉塞部８をもって前記通風孔７を閉塞自在とした前記一方又は他方のシャッターカーテン（２Ａ，２Ｂ）を、シャッターカーテンによって閉鎖される建物の内側の他方のシャッターカーテン２Ｂとした構成としてもよい。
【００１０】
また、前記一方のシャッターカーテン２Ａあるいは他方のシャッターカーテン２Ｂにおける対向面側には、対向するシャッターカーテン２Ｂ，２Ａと当接して各シャッターカーテン２Ａ，２Ｂの間隙を遮蔽する遮蔽部材１０を備えてもよい。この遮蔽部材１０は、軟質樹脂片によって形成し、前記一方又は他方のシャッターカーテンにおける対向面側に配設し、対向する他方又は一方のシャッターカーテンの対向面に先端部が当接して各シャッターカーテンの間隙を遮蔽することが望ましい。
【００１１】
このように、一方の開閉体２Ａおよび他方の開閉体２Ｂに設けられた通風孔７を連通開口させることにより、各開閉体２Ａ，２Ｂを介して通風・採光が行われる。そして、一方の開閉体２Ａあるいは他方の開閉体２Ｂを上下方向にずらし、閉塞部８をもって通風孔７を閉塞することにより通風・採光が止められる。
【００１２】
【発明の実施の形態】
以下、本発明の実施の形態を図面を参照して具体的に説明する。
図１は本発明による開閉体の構造の概略構成を示す側断面図、図２は同開閉体の構造を示す正面図である。
【００１３】
図１および図２に示すように、この実施の形態における開閉体の構造は、一般に建築構造物に対して設置される建物用シャッターにおいて、特に窓部Ｗに対応する窓シャッター（以下シャッターという）を対象としている。
【００１４】
シャッターは、建物の窓部Ｗ上部に設けられたシャッターケース１内に巻回収納されるとともに、開閉体として、それぞれ対面する一方のシャッターカーテン２Ａおよび他方のシャッターカーテン２Ｂからなる一対のシャッターカーテン２を備えている。
一方のシャッターカーテン２Ａ（図中外側に位置している）および他方のシャッターカーテン２Ｂ（図中内側に位置している）は、幅方向に長手に形成された複数のスラット４が連結部４ａを介して上下に連結されることによって形成され、その両側端がガイドレール５に対して昇降自在に案内されて窓部Ｗを開閉している。
また、各シャッターカーテン２Ａ，２Ｂの最下端部にはそれぞれ座板６，６が設けられている。
【００１５】
各シャッターカーテン２Ａ，２Ｂにおける所望のスラット４には通風孔７が穿設されている。
通風孔７は、図２に示すようにスラット４の本体部４ｂにおいて長手方向に沿って長孔状に複数穿設され、上下に連結された各スラット４の一枚置き毎に設けられている。ゆえに、各シャッターカーテン２Ａ，２Ｂは、通風孔７を有したスラット４と、通風孔７を有さない閉塞部８をなすスラット４とが上下方向に交互に配置されるとともに、その全閉鎖時において各シャッターカーテン２Ａ，２Ｂの通風孔７，７が対向するように構成されている。
【００１６】
また、各シャッターカーテン２Ａ，２Ｂは、それぞれ別の開閉機９，９によって駆動される。
【００１７】
このように構成された開閉体の構造における通風・採光動作を以下に説明する。
まず、各シャッターカーテン２Ａ，２Ｂを全閉鎖状態とし、それぞれスラット４に設けられた通風孔７，７を対向させる。これにより、図３（ａ）に示すように一方のシャッターカーテン２Ａと他方のシャッターカーテン２Ｂとの通風孔７，７が連通開口されて通風・採光が行われる。
【００１８】
次に、他方のシャッターカーテン２Ｂを１スラットピッチＨ分上昇させる。これにより、図３（ｂ）に示すように、一方のシャッターカーテン２Ａと他方のシャッターカーテン２Ｂとの通風孔７，７が、それぞれ閉塞部８としてのスラット４によって閉塞されて通風・採光が止められる。
【００１９】
ここで、他方のシャッターカーテン２Ｂを半スラットピッチ分上昇させたり、あるいは１スラットピッチＨの範囲内で上昇幅を調整することにより、通風孔７を半開口状態としたり、あるいは通風孔７を所望の開口状態として、通風・採光を調整することが可能となる。
【００２０】
また、通風孔７の全開口状態を得る場合、一方のシャッターカーテン２Ａあるいは他方のシャッターカーテン２Ｂの何れかのみを閉鎖するだけでもよい。
【００２１】
また、上述の通風・採光動作では、外側に位置する一方のシャッターカーテン２Ａの全閉鎖状態を基本とし、内側に位置する他方のシャッターカーテン２Ｂをずらすことによって通風・採光を行っているが、逆に他方のシャッターカーテン２Ｂの全閉鎖状態を基本として一方のシャッターカーテン２Ａをずらして通風・採光を行ってもよい。ただし防犯上は、外側の一方のシャッターカーテン２Ａの全閉鎖状態を基本とする方が好ましい。
【００２２】
また、例えば各シャッターカーテン２Ａ，２Ｂを共に下側半分開けた状態で停止させることにより、各シャッターカーテン２Ａ，２Ｂによって閉鎖された上側半分のみを通風・採光状態とすることも可能である。これによれば、例えば冬季や夕方時の陽が下がった際等に友好的に利用することができる。
【００２３】
また、上述の開閉体の構造では、各シャッターカーテン２Ａ，２Ｂを全閉鎖状態とした際に各通風孔７，７が連通開口されて通風・採光が行われるれるように構成されているが、一方のシャッターカーテン２Ａまたは他方のシャッターカーテン２Ｂの何れかのスラット４に設けられた通風孔７の配置を１スラットピッチＨ分上下方向にずらせば、各シャッターカーテン２Ａ，２Ｂを全閉鎖状態とした際に各通風孔７，７が閉塞されて通風・採光が止められ、他方のシャッターカーテン２Ｂをずらした際に各通風孔７，７が連通開口されて通風・採光が行われるようにすることができる。
【００２４】
したがって、このように構成された開閉体の構造では、それぞれ対面する一方のシャッターカーテン２Ａと他方のシャッターカーテン２Ｂとを備えた二重構造とし、上下に連結された各スラット４の一枚置き毎に通風孔７を設け、一方のシャッターカーテン２Ａあるいは他方のシャッターカーテン２Ｂをずらすことにより各通風孔７，７を開口／閉塞して通風・採光を行うように構成したので、スラット４の本体部４ｂに通風孔７を設けることが可能となり、該通風孔７を必要な大きさに設定でき、十分な通風・採光を行うことができる。
【００２５】
また、各シャッターカーテン２Ａ，２Ｂは、それぞれ一般的に昇降されるシャッターの構造であり、従来のように全閉鎖状態からさらに所定送り下げる動作がないので、各シャッターカーテン２Ａ，２Ｂの昇降を助生して全閉鎖時における重量バランスを補正する付勢力に抗し、さらに各シャッターカーテン２Ａ，２Ｂを下げる必要がなく、各開閉機９，９に必要以上の負荷を係らないことから、開閉機９の容量を必要最低限とすることができる。
【００２６】
また、従来のように連結部４ａをスライドさせる構成がないので、故障がおこる可能性が少なくなりシャッターとしての信頼性が向上する。
【００２７】
また、一方のシャッターカーテン２Ａおよび他方のシャッターカーテン２Ｂを備えた二重構造としたことにより、防犯性を向上することができる。
【００２８】
ところで、上述のように構成された開閉体の構造において、図４に示すように、他方のシャッターカーテン２Ｂの各スラット４における一方のシャッターカーテン２Ａとの対向面側には、一方のシャッターカーテン２Ａと当接し得るように軟質樹脂性の遮蔽部材１０を長手方向に沿って配設してもよい。
これによれば一方のシャッターカーテン２Ａと他方のシャッターカーテン２Ｂとの間に起こり得る通風孔７，７間の風および光の漏れを効果的に遮蔽することが可能となる。
なお、遮蔽部材１０は、他方のシャッターカーテン２Ｂの各スラット４における一方のシャッターカーテン２Ａとの対向面側に設けてもよい。
【００２９】
また、上述の開閉体の構造では、通風・採光を行う際（あるいは通風・採光を止める際）には、一方のシャッターカーテン２Ａあるいは他方シャッターカーテン２Ｂが全閉鎖とならず最下端部に設けられた座板６が上がってる状態が生じる。これに対し、一方のシャッターカーテン２Ａあるいは他方シャッターカーテン２Ｂ（好ましくは内側の他方シャッターカーテン２Ｂ）の座板６と最下のスラット４との連結部４ａを１スラットピッチＨ分上下方向にスライド自在に構成すれば、どのような状態であっても何れのシャッターカーテン２Ａ，２Ｂを全閉鎖状態とすることが可能となる。
【００３０】
また、上述した開閉体の構造では、スラット４の本体部４ｂに対し、挿通孔が長孔状に穿設されているが、この通風孔７は長孔状に限らず、例えば三角形、四角形、星形、円形等の様々な形状であってもよく、あるいはスラット４の本体部４ｂをパンチングメタルとして構成してもよい。
さらにこの通風孔７は、上下に連結された各スラット４の一枚置き毎に設けらずに、例えば各スラット４の二枚置き毎、あるいは三枚置き毎等、複数枚置き毎で設けられていてもよい。
【００３１】
そして、上述した開閉体の構造では、通風孔７が上下に連結された各スラット４の一枚置き毎（あるいは複数枚置き毎）に設けられていて、通風孔７の設けられていない閉塞部８をなすスラット４が存在するが、図５に示すように、通風孔７が上下方向の各スラット４、４で連続しないように閉塞部８を介して配置し、全てのスラット４に対して通風孔７を設けてもよい。
【００３２】
さらに、通風孔７がスラット４の本体部４ｂの上下方向半分以下の大きさとすれば、通風孔７と閉塞部８とを上下方向で同一のスラット４に配置してもよい。ただし、上下方向での全ての通風孔７と閉塞部８とは交互に配置されていなければならない。なお、この際の通風孔７を閉塞するためのシャッターカーテン２のずらす上下幅は半スラットピッチとなる。
【００３３】
そして、上記全ての通風孔７（パンチングメタルを含む）は、各シャッターカーテン２Ａ，２Ｂの全域（であって規則的な位置）に配置されなくてもよく、各シャッターカーテン２Ａ，２Ｂの通風孔７，７が対向する状態と、一方のシャッターカーテン２Ａあるいは他方のシャッターカーテン２Ｂを上下方向にずらした際に全ての通風孔７を閉塞する状態とが得られる配置であれば部分的（あるいは不規則な位置）に配置されていてもよい。
【００３４】
また、上述した開閉体の構造では、図１に示すようにシャッターケース１全体が屋外に設置されているが、図６に示すように、少なくとも内側である他方のシャッターカーテン２Ｂを収納するシャッターケース１の一部分を屋内側（建物の壁内）に配置するようにすれば、該シャッターケース１の屋外の張り出しを減少させ、見栄えをよくすることができる。
【００３５】
そして、シャッターケース１内に巻回収納される各シャッターカーテン２Ａ，２Ｂは、図１のように建物の内外方向に配置されていなくともよく、図７（ａ）に示すように上下に配置すれば、シャッターケース１における外側の張り出しを減少させることができる。さらに、図７（ｂ）に示すように、巻回された各シャッターカーテン２Ａ，２Ｂを上下に配置するとともに、シャッタケースの一部を内側（建物の壁内）に配置するようにすれば、シャッターケース１における外側の張り出しをさらに減少させることが可能となる。
【００３６】
また、上述の開閉体の構造では、それぞれ一方のシャッターカーテン２Ａと他方のシャッターカーテン２Ｂとを駆動する各開閉機９，９を制御する制御部（不図示）に対し、無線あるいは有線で各操作信号を出力する操作部（不図示）を備えて、各シャッターカーテン２Ａ，２Ｂを操作し、各シャッターカーテン２Ａ，２Ｂの昇降および通風・採光を行うことができる。
【００３７】
この操作の一例としては、通常時、各シャッターカーテン２Ａ，２Ｂを昇降させる場合、操作部を選択操作することにより各シャッターカーテン２Ａ，２Ｂが共に昇降される。そして、各シャッターカーテン２Ａ，２Ｂが全閉鎖状態、あるいは中途で停止されて半開放状態の際に、操作部を選択操作することにより、上述の通風・採光動作で説明したように一方のシャッターカーテン２Ａあるいは他方のシャッターカーテン２Ｂが作動して通風・採光が行われる。
【００３８】
そのほか、一方のシャッターカーテン２Ａあるいは他方のシャッターカーテン２Ｂのみを昇降させる場合や、通風・採光動作を微調整する場合には、同操作部を切換操作すればよい。
【００３９】
さらに、上記各シャッターカーテン２Ａ，２Ｂにおける座板６，６に対し、上記制御部に信号を出力する近接スイッチを設ければ、各シャッターカーテン２Ａ，２Ｂの昇降状態を認識して制御することが容易となる。
【００４０】
また、上述の開閉体の構造では、各シャッターカーテン２Ａ，２Ｂに対応してそれぞれ開閉機９，９が設けられていると説明したが、単一の開閉機９をもって各シャッターカーテン２Ａ，２Ｂを昇降させてもよい。
この際、単一の開閉機９と各シャッターカーテン２Ａ，２Ｂとは、それぞれクラッチ機構を介して断続するように構成すればよい。そして、各シャッターカーテン２Ａ，２Ｂを共に動作（昇降）させる場合には、該クラッチ機構によって開閉機９と各シャッターカーテン２Ａ，２Ｂとを連動させ、それぞれ一方のシャッターカーテン２Ａあるいは他方のシャッターカーテン２Ｂの何れかを動作（昇降）させる場合には、該クラッチ機構によって動作させる側のみに開閉機９を連動させるようにすればよい。
【００４１】
また、上述の開閉体の構造では、開閉体としてシャッターにおけるシャッターカーテン２を対象に説明したが、他にロールスクリーンにおけるロールカーテンに適用することが可能であり、このロールカーテンを二重構造として、それぞれ通風孔７と、該通風孔７を閉塞する閉塞部８とを備えることにより、上述した実施の形態と同様の効果を得ることができる。
さらに、二重構造の各シャッターカーテン２Ａ，２Ｂのうちの片方をロールカーテンとして構成してもよい。
【００４２】
また、上述した開閉体は、開閉機９に限らず手動操作によって昇降および通風・採光を行うようにしてもよい。
【００４３】
【発明の効果】
以上説明したように本発明による建物用開閉体の構造は、上下方向に昇降自在に設けられて、それぞれ対面して配置された一方のシャッターカーテン２Ａおよび他方のシャッターカーテン２Ｂを備え、各シャッターカーテンには、各シャッターカーテン間で連通開口し得るように穿設された通風孔７を設けるとともに、通風孔７の上下方向で介在された閉塞部８を設け、一方及び他方のシャッターカーテン２Ｂを全閉鎖状態とした時に、そのいずれかの座板６と最下端部のスラット４との連結部４ａを１スラットピッチ分上下方向にスライド自在に構成し、閉塞部８をもって通風孔７を閉塞自在としたので、一方あるいは他方のシャッターカーテンの何れかを上下方向にずらすことにより、各通風孔を連通開口させて通風・採光を行うことができ、あるいは閉塞部をもって通風孔を閉塞させることができる。
【００４４】
また、一方および他方のシャッターカーテンをなすスラットの本体部に通風孔および閉塞部を設けているので、通風孔を必要な大きさに設定でき、十分な通風・採光を行うことができる。
【００４５】
また、一方のシャッターカーテンおよび他方のシャッターカーテンを備えた二重構造とし、この一方及び他方のシャッターカーテンを全閉鎖状態とした時に、そのいずれかの座板６と最下端部のスラット４との連結部４ａを１スラットピッチ分上下方向にスライド自在に構成し、閉塞部８をもって通風孔７を閉塞自在としたので、防犯性を向上することができる。この場合、建物の内側になる他方のシャッターカーテン２Ｂの座板６と最下端部のスラット４との連結部４ａを１スラットピッチ分上下方向にスライド自在とする構造とすることにより、防犯性が一層向上する。
【００４６】
また、前記一方のシャッターカーテンあるいは他方のシャッターカーテンにおける対向面側に、対向するシャッターカーテンと当接して各シャッターカーテンの間隙を遮蔽する遮蔽部材を備えたことにより、通風・採光を止めた際に、一方のシャッターカーテンと他方のシャッターカーテンとの間の風および光の漏れを効果的に遮蔽することができる。
【００４７】
また、各シャッターカーテンの昇降を開閉機によって行う場合、各シャッターカーテンが二重構造とされていて、通風・採光の動作を行う際には、単にシャッターカーテンを昇降させるだけでよいので、開閉機に対し、各シャッターカーテンの昇降を助生したり重量バランスを補正する付勢力に抗する負荷を必要以上にかけることなく、開閉機の容量を必要最低限とすることができる。
【００４８】
また、通風・採光を行うための構成が簡素なため、故障等が起こる可能性が低減し、信頼性を向上することができる。
【図面の簡単な説明】
【図１】本発明による開閉体の構造の概略構成を示す側断面図。
【図２】同開閉体の構造を示す正面図。
【図３】（ａ），（ｂ）開閉体の動作を示す側面図。
【図４】同開閉体における追加の構成を示す側面図。
【図５】同開閉体における通風孔の別構成を示す正面図。
【図６】同開閉体におけるシャッターケースの別構成を示す側断面図。
【図７】（ａ），（ｂ）同開閉体におけるシャッターカーテンの他の配置状態を示す側断面図。
【図８】（ａ），（ｂ）従来の開閉体の構造を示す側断面図。
【符号の説明】
１…シャッターケース、２Ａ…一方のシャッターカーテン（開閉体）、２Ｂ…他方のシャッターカーテン（開閉体）、４…スラット、５…ガイドレール、６…座板、７…通風孔、８…閉塞部、９…開閉機、１０…遮蔽部材。
【図１】
0003791062.tif 000002
【図２】
0003791062.tif 000003
【図３】
0003791062.tif 000004
【図４】
0003791062.tif 000005
【図５】
0003791062.tif 000006
【図６】
0003791062.tif 000007
【図７】
0003791062.tif 000008
【図８】
0003791062.tif 000009